(57)【特許請求の範囲】
【請求項１】
鉄筋コンクリート構造物のモルタル下地タイル仕上げの補修・補強方法として、タイル落下防止用溝設置点のタイル小口面を露出させて下地モルタル内部に到達する溝を刻設して接着剤の充填後に接着剤の表面を平滑に仕上げる工程と、下地モルタル落下防止用アンカーピン設置点のタイル小口面を露出させて下地モルタル内部に到達する溝の刻設と、溝の中心位置に下地モルタルを貫通し躯体コンクリート内部に到達するアンカー孔を穿設し、溝とアンカー孔に接着剤を充填し、上端にアンカーピン横材と嵌合する屈曲部と、下端に接着効果を高める屈曲部を有したＣ形状であるアンカーピン縦材と棒形状のアンカーピン横材を挿設後に接着剤の表面を平滑に仕上げる工程からなることを特徴とするタイルの落下防止方法。
【発明の詳細な説明】
【技術分野】
【０００１】
本発明は、鉄筋コンクリート構造物におけるタイルの落下防止方法に関するものである。
【背景技術】
【０００２】
鉄筋コンクリート構造物におけるタイルの落下防止方法として、１．タイル浮き個所へのエポキシ樹脂注入工法、２．タイル及び下地モルタルの浮き個所へのＴ字型アンカーピンによる定着工法などがあるが、落下防止の耐久性、意匠性の低下などの問題点が指摘される場合があり、必ずしも万全でないといえる。
【０００３】
タイル浮き個所へのエポキシ樹脂注入工法では、浮いている微細な間隙には雨水が流入していることが多く、雨水によって汚れが生じているので接着面として不良状態であり、この事情によってエポキシ樹脂注入工法は接着耐久性に欠けると言われている。又、微細な間隙への注入を行うと注入圧力によって新たな浮きを招く傾向があり、補修面積の増大を生じる欠点があリ、エポキシ樹脂注入工法は浮いていない個所への適用技術ではないので、健全個所への落下予防的には行えない工法である。
【０００４】
タイル及び下地モルタルの浮き個所へのＴ字型アンカーピンニング工法は、図７に示すように、タイル４表面にＴ字型アンカーピン埋設用溝８の刻設と、目地部分５に躯体コンクリート１に到達するアンカー孔１０を穿設し、次に、図８に示すように、アンカー孔１０及び、Ｔ字型アンカーピン埋設用溝８に接着剤９を注入した後にＴ字型アンカーピンＴを挿入し、Ｔ字型アンカーピン頭部を埋設用溝に埋没させる手順であるが、タイル面に溝を刻設する痕跡が生じることによる意匠性の低下と、多数のアンカーピンを設置することによる経済性の問題点を有していた。
【特許文献１】特許１８０４４１５
【発明の開示】
【発明が解決しようとする課題】
【０００５】
鉄筋コンクリート構造物における既存タイルの落下防止を行うために、従来の技術よりも既存タイルの定着を強化するものであって、このことによって劣化進行の防止を図るものである。
【０００６】
つまり、エポキシ樹脂注入工法では、エポキシ樹脂の接着面が健全ではなく、微細な間隙への注入が物理的に不完全であること等が原因して、補修・補強後の耐久性が期待できないと言う欠点があった。
【０００７】
Ｔ字型アンカーピンニング工法では、既存タイル面にＴ字型アンカーピン埋設用溝を刻設するが、この痕跡は完全に消去できないので意匠上の欠点として指摘される場合がある。又、施工対象タイル数が多いとＴ字型アンカーピンの設置ヶ所数が多くなるので工事費が嵩むと言う欠点があった。
【０００８】
本発明は、これらの事情に鑑み、下記構成とする事によって、上述した問題を解決することを目的とすることによって既存タイルの落下防止を図るものである。
【０００９】
本発明工法による既存タイルの下地モルタルへの定着は、既存タイル目地材、タイル張付け材及び、下地モルタルなどを切削して得られる溝が重要であって、溝の表面は新鮮な切削面であり、接着性を低下させるエフロレッセンス、汚れなどの不純物はない状態であるから、溝の内部に充填する接着剤の接着性を確実に得られる。従って、接着信頼性が高いと言える。
【００１０】
本発明工法による既存タイルを下地モルタルに定着させる溝は、タイル小口面、タイル張付け材面及び、下地モルタル面又はコンクリート面が露出している状態であり、この溝内に接着剤を充填することによって、接着剤を介してタイル、張付けモルタルと下地モルタル又はコンクリートとの全体を一体化させることが可能となり、既存タイルの落下防止を確実なものとすることが可能となる。
【００１１】
本発明工法によるタイル落下防止用溝を設置する場合に、下地モルタルの塗厚さが薄い場合、又は、躯体コンクリートに直接タイルが張付いている場合などでは、躯体コンクリート内部に到達する溝を設けて、接着剤の充填によってタイルの落下防止を図ることが可能である。
【００１２】
本発明工法による溝は既存タイル目地内部に設けるので、既存タイル面を傷付けることがなく、外観上の変化はないので、意匠上の問題は生じない工法である。
【００１３】
本発明工法による溝は既存タイル目地に設けるが、タイル４辺の全周に必ず設ける必要はなく、うま目地の場合はタイル４枚毎の目地交点に、いも目地の場合はタイル３枚毎の目地交点に溝を設けても良い。
【００１４】
接着剤は既存タイル目地材の色に調色することも可能であり、又は、接着剤の表面に既存タイル目地材を用いて仕上げることも可能であるから意匠上の問題は生じない工法である。
【００１５】
本発明工法による既存タイルと下地モルタルの躯体コンクリートへの定着は、既存タイル目地材、タイル張付け材及び、下地モルタルを切削して得られる溝の表面と、下地モルタルを貫通し躯体コンクリート内部を切削して得られるアンカー孔の表面は新鮮な切削面であり、接着性を低下させるエフロレッセンス、汚れなどの不純物はない状態であるから、溝とアンカー孔の内部に充填する接着剤の接着は確実に得られるので、接着信頼性が高いと言える。
【００１６】
本発明工法による下地モルタルを躯体コンクリートに定着させる溝とアンカー孔には、タイル小口面、タイル張付け材面、下地モルタル面及び、躯体コンクリート面が露出している状態であり、この溝内とアンカー孔に接着剤を充填し、アンカー孔にはアンカーピン縦材を、溝内にはアンカーピン横材を挿設することによって、既存タイル仕上げ層と躯体コンクリートとの全体を一体化させることが可能となり、既存タイルと下地モルタルの落下防止を確実なものとすることが可能となる。 
【００１７】
本発明工法では、アンカーピン縦材とアンカーピン横材に分割しているので、アンカー孔の穿孔作業が壁面に対して垂直を標準とした場合に若干の傾きを生じても、アンカーピン横材を壁面と平行な状態で挿設することが可能である。つまり、一体化したＴ字型アンカーピンではアンカー孔の傾きによって溝内での納まりの角度が不均一となり、傾きが著しいと納まりに支障を生じる場合もあるが、この欠点を解決している。
【００１８】
本発明工法は、溝内に挿設するアンカーピン横材を壁面と平行な状態で挿設することが可能なので、アンカーピン横材による仕上げ面への支障は全く生じない工法である。
【００１９】
本発明工法による既存タイルと下地モルタルの躯体コンクリートへの定着を図るアンカーピンの平方メートル当りの使用本数、アンカーピン縦材の長さ及び、設置ヶ所等は、下地モルタルの厚さ、自重、モルタルのひびわれ状況、モルタルの剥離状況及び、壁面の形状、外力（風力、地震力）などを考慮して決めることが可能である。
【課題を解決するための手段】
【００２０】
本発明は、前記課題を解決するために、鉄筋コンクリート構造物における既存タイルの落下防止を図る方法として、次の構成を備えたことを特徴とする既存タイルの落下防止工法を得ることを目的とするものであり、請求項１記載の発明においては、  鉄筋コンクリート構造物のモルタル下地タイル仕上げの補修・補強方法として、タイル落下防止用溝設置点のタイル小口面を露出させて下地モルタル内部に到達する溝を刻設して接着剤の充填後に接着剤の表面を平滑に仕上げる工程と、下地モルタル落下防止用アンカーピン設置点のタイル小口面を露出させて下地モルタル内部に到達する溝の刻設と、溝の中心位置に下地モルタルを貫通し躯体コンクリート内部に到達するアンカー孔を穿設し、溝とアンカー孔に接着剤を充填し、上端にアンカーピン横材と嵌合する屈曲部と、下端に接着効果を高める屈曲部を有したＣ形状であるアンカーピン縦材と棒形状のアンカーピン横材を挿設後に接着剤の表面を平滑に仕上げる工程からなることによって既存タイルの落下を防止すると言う技術手段を採用した。
【発明の効果】
【００２１】
鉄筋コンクリート構造物における既存タイルの補強・補修方法として、次の性能を有することを特徴とする既存タイルの落下防止方法である。１．タイルと下地モルタルの落下防止のための溝及び、アンカー孔は、既存タイル目地に設けるので、意匠上の変化は殆ど生じなく、補修・補強の痕跡が生じない。２．タイルと下地モルタルの落下防止のための溝及び、アンカー孔は、タイル目地面から下地モルタル内部又は、躯体コンクリート内部まで到達するように、機械による刻設によって形成するので、下地モルタル面及び、コンクリート面などは新鮮であり、これらの面への接着剤の接着性は確実に得られるので、接着信頼性は高い工法である。３．タイルと下地モルタルの落下防止のために、溝及び、アンカー孔を設けて接着剤を充填することによる補強効果が得られるが、更に、接着剤とアンカーピン等の成形材を併用することによる補強効果も得られるので、タイル又は、下地モルタルの落下防止に対して優れた耐久性を期待できる工法である。４．アンカー孔の穿設角度が異なっていても、アンカーピン縦材とアンカーピン横材に分割して嵌合する機構であることによって、常にアンカーピン横材を壁面と平行な状態で溝内に挿設することが可能となるので、アンカーピンによって目地仕上げに支障を生じることはない。 ５．下地モルタルの塗厚さが薄い場合、又は、躯体コンクリートに直接タイルを張付けている場合は、タイル落下防止用溝を躯体コンクリート内部に到達するように設けて、この溝内部に接着剤の充填によってタイルの落下防止を図ることが可能である。 ６．タイルの落下防止は、タイル落下防止用溝を下地モルタル又は、躯体コンクリート内部に到達するように設けて、この溝内部に接着剤を充填するが、タイルの４辺の全てに溝を設ける必要はなく、タイル小口の一部に接して設けた溝内の接着剤の接着効果によってタイルの落下防止効果が得られる。７．うま目地ではタイル３枚の交点又は、いも目地ではタイル４枚の交点に溝を配置し、タイル小口を含む溝内に充填する接着剤の接着効果、一体化効果によってタイルの落下防止効果が得られる。８．タイル仕上げの下地モルタルを躯体コンクリートに定着する場合、平方メートル当り数ヶ所に溝の刻設とアンカー孔の穿設を行い、溝とアンカー孔に接着剤を充填し、アンカーピンを挿設することによって、タイルと下地モルタルの落下防止を図る効果が得られる。９．タイル及び、下地モルタルの浮きの有無に関係なく計画的に溝の設置、アンカーピンの設置を行うことができるので、既存タイル及び、下地モルタルの浮き調査を省くことも可能であり、施工計画及び、予算計画が立てやすい。 [発明を実施する為の最良の形態]
【００２２】
既存タイル仕上げの落下防止技術として、既存タイル目地に下地モルタル内部に到達する溝を刻設して接着剤の充填を行い、一部の溝には躯体コンクリート内部に到達するアンカー孔を設け、溝とアンカー孔に接着剤を充填し、これに二分割アンカーピンを挿設することによって既存タイル仕上げ層と躯体コンクリートとを一体化させることによって実現した。
【実施例１】
【００２３】
以下図面を基に請求項１に示す本発明の一実施例を具体的に説明する。
図１に示すように、既存タイル仕上げ壁面に、タイル４の４枚を単位としてタイル目地５の交点にタイル落下防止用溝設置点６と、下地モルタル落下防止用アンカー設置点７（平方メートル当り５箇所、縦横共、約４５ｃｍ間隔）を配置する。
【００２４】
図２に示すように、タイル落下防止用溝設置点６のタイル目地５に、長さ１００ｍｍ程度、深さは下地モルタル内部に１０ｍｍの溝８を刻設し、溝８内部に露出しているタイル小口４a、タイル張付け材３、下地モルタル２の表面をエアーブロー又は、ブラッシングなどで清掃する。
【００２５】
図３に示すように、溝８に接着剤９（建築補修用注入エポキシ樹脂）を充填し、接着剤９の表面を平滑に仕上げる。
【００２６】
図４に示すように、下地モルタル落下防止用アンカーピン設置点７のタイル目地５に、長さ１００ｍｍ程度、深さは下地モルタル内部に１０ｍｍの溝８を刻設し、溝８の中央部分に直径６ｍｍで、躯体コンクリート内部に深さ２５ｍｍのアンカー孔１０を穿設し、溝８内部に露出しているタイル小口４a、タイル張付け材３、下地モルタル２及び、アンカー孔１０をエアーブロー又は、ブラッシングなどで清掃する。
【００２７】
図５に示すように、溝８とアンカー孔１０に接着剤９を充填し、アンカーピン縦材１２をアンカー孔１０に挿入し、アンカーピン縦材１２（板厚さ１ｍｍ、板幅４ｍｍ、Ｃ形状、ＳＵＳ３０４）と嵌合したアンカーピン横材１１（直径２ｍｍ、棒状、ＳＵＳ３０４）を溝８内に挿設して、接着剤９の表面を平滑に仕上げる。つまり、タイル小口４a、タイル張付け材３、下地モルタル２、躯体コンクリート１の全体を一体化させることになる。
【００２８】
図６−(a)は、本実施例で用いたアンカーピン横材１１の平面形状（棒状）を示している。図６−(b)はアンカーピン縦材１２の側面形状（Ｃ型）を示しているもので、上部はアンカーピン横材１１と嵌合するための屈曲部１２aであり、下部は接着剤９との接着効果を高めるための屈曲部１２aである。図６−(ｃ)は、アンカー横材１１とアンカー縦材１２とを嵌合した斜視図である。
【産業上の利用可能性】
【００２９】
本発明は、鉄筋コンクリート構造物の石張り仕上げ、プレキャストコンクリートパネルの張り石仕上げなどにおける石材の落下防止にも適用できる。
【図面の簡単な説明】
【００３０】
【図１】本発明の請求項１に基づく一実施例の既存タイルの落下防止工法のうち、タイル落下防止用溝設置点と、タイルと下地モルタル落下防止用アンカーピン設置点の配置を示すもので、図１−(a)はＡ−Ａ線断面図、図１−(b)は正面図である。
【図２】本発明の請求項１に基づく一実施例の既存タイルの落下防止工法のうち、下地モルタル内部に到達する溝を示すもので、図２−(a)はＢ−Ｂ線断面図、図２−(b)は正面図である。
【図３】本発明の請求項１に基づく一実施例の既存タイルの落下防止工法のうち、溝内部への接着剤の充填を示すもので、図３−(a)はＣ−Ｃ線断面図、図３−(b)は正面図である。
【図４】本発明の請求項１に基づく一実施例の既存タイルの落下防止工法のうち、タイルと下地モルタル落下防止用アンカーピン設置点に設ける溝とアンカー孔を示すもので、図４−(a)はＤ−Ｄ線断面図、図４−(b)は正面図である。
【図５】本発明の請求項１に基づく一実施例の既存タイルの落下防止工法のうち、溝とアンカー孔に接着剤を充填した後にアンカーピン縦材とアンカーピン横材の挿設を示すもので、図５−(a)はＥ−Ｅ線断面図、図５−(b)は正面図である。
【図６】本発明の請求項１に基づく一実施例の既存タイルの落下防止工法のうち、図６−(a)はアンカーピン横材の平面形状、図６−(b)はアンカーピン縦材の側面形状（Ｃ型）、図６−(ｃ)はアンカーピン横材とアンカーピン縦材を嵌合した斜視図である。
【図７】Ｔ字型アンカーピンによるタイル落下防止工法のうち、Ｔ字型アンカーピン設置用溝とアンカー孔を示すもので、図７−(a)はＩ−Ｉ線断面図、図７−(ｂ)は正面図である。
【図８】Ｔ字型アンカーピンによるタイル落下防止工法のうち、Ｔ字型アンカーピン設置用溝とアンカー孔に接着剤を充填し、Ｔ字型アンカーピンの挿設を示すもので、図８−(a)はＪ−Ｊ線断面図、図８−(ｂ)は正面図である。
【符号の説明】
【００３１】
１：躯体コンクリート２：下地モルタル３：タイル張付け材４：タイル
４a：タイル小口５：タイル目地６：タイル落下防止用溝設置点７：タイルと下地モルタル落下防止用アンカーピン設置点８：溝（タイル落下防止用溝）９：接着剤１０：アンカー孔１１：アンカーピン横材１２：アンカーピン縦材１２a：屈曲部Ｔ：Ｔ字型アンカーピン 
【図１】
0003840613.tif 000002
【図２】
0003840613.tif 000003
【図３】
0003840613.tif 000004
【図４】
0003840613.tif 000005
【図５】
0003840613.tif 000006
【図６】
0003840613.tif 000007
【図７】
0003840613.tif 000008
【図８】
0003840613.tif 000009